【手続補正書】
【提出日】平成15年10月22日(2003.10.22)
【手続補正１】
【補正対象書類名】明細書
【補正対象項目名】特許請求の範囲
【補正方法】変更
【補正の内容】
【特許請求の範囲】
【請求項１】
被写体を撮影して撮影画像情報を供給する映像情報供給装置と、前記映像情報供給装置が撮影した撮影画像情報を外部へ送信及び外部から撮影画像情報を受信するための通信装置と、前記各撮影画像情報を処理する映像情報処理装置と、該処理装置により処理された画像を表示する表示装置と、該処理装置により処理された画像を印刷する印刷装置とを有することを特徴とする映像プリント供給装置。
【請求項２】
被写体を撮影して撮影画像情報を供給する映像情報供給装置と、外部から撮影画像情報を受信するための通信装置と、前記各撮影画像情報を処理する映像情報処理装置と、該処理装置により処理された画像を表示する表示装置と、該処理装置により処理された画像を印刷する印刷装置とを有することを特徴とする映像プリント供給装置。
【請求項３】
撮影画像情報を編集する映像編集装置を有し、前記各撮影画像情報を編集可能なことを特徴とする、請求項１または２に記載の映像プリント供給装置。
【請求項４】
撮影画像情報を合成する合成装置を有し、前記各撮影画像情報を合成可能なことを特徴とする、請求項１〜３のいずれか１項に記載の映像プリント供給装置。
【請求項５】
タイトル情報供給装置を有し、前記各撮影画像情報にタイトル情報を合成可能なことを特徴とする、請求項４に記載の映像プリント供給装置。
【請求項６】
前記各撮影画像情報に基づく画像を同一の媒体上に印刷することを特徴とする、請求項１〜４のいずれか１項に記載の映像プリント供給装置。
【請求項７】
前記各撮影画像情報に基づく画像のうち任意の画像を選択して同一の媒体上に印刷可能なことを特徴とする、請求項１〜４のいずれか１項に記載の映像プリント供給装置。
【請求項８】
前記各画像を複数個印刷可能なことを特徴とする、請求項６または７に記載の映像プリント供給装置。
【請求項９】
前記印刷する画像の個数を選択可能なことを特徴とする、請求項８に記載の映像プリント供給装置。
【請求項１０】
前記映像情報供給装置、通信装置、映像情報処理装置、表示装置及び印刷装置を１つのユニットとし、１つの筐体内に複数の前記ユニットを備え、各ユニット間で撮影画像情報の通信が可能なことを特徴とする、請求項１に記載の映像プリント供給装置。
【請求項１１】
前記映像情報供給装置、通信装置、表示装置及び印刷装置を１つのユニットとし、１つの筐体内に複数の前記ユニットを備え、１つの前記映像情報処理装置により各ユニットの撮影画像情報を処理可能なことを特徴とする、請求項１に記載の映像プリント供給装置。
【請求項１２】
前記映像情報供給装置、通信装置及び表示装置を１つのユニットとし、１つの筐体内に複数の前記ユニットを備え、１つの前記映像情報処理装置により各ユニットの撮影画像情報を処理可能とすると共に、１つの前記印刷装置を各ユニットに共通の印刷装置とすることを特徴とする、請求項１に記載の映像プリント供給装置。
【請求項１３】
被写体を撮影して映像情報を供給する複数の映像情報供給装置と、該複数の映像情報供給装置から供給された撮影画像情報を処理する映像情報処理装置と、該処理装置により処理された画像を表示する複数の表示装置と、該処理装置により処理された画像を印刷する印刷装置とを有することを特徴とする映像プリント供給装置。
【手続補正２】
【補正対象書類名】明細書
【補正対象項目名】０００５
【補正方法】変更
【補正の内容】
【０００５】
【課題を解決するための手段】
前記の課題は本発明により、被写体を撮影して撮影画像情報を供給する映像情報供給装置と、前記映像情報供給装置が撮影した撮影画像情報を外部へ送信及び外部から撮影画像情報を受信するための通信装置と、前記各撮影画像情報を処理する映像情報処理装置と、該処理装置により処理された画像を表示する表示装置と、該処理装置により処理された画像を印刷する印刷装置とを有することにより解決される。
また、前記の課題は本発明により、被写体を撮影して撮影画像情報を供給する映像情報供給装置と、外部から撮影画像情報を受信するための通信装置と、前記各撮影画像情報を処理する映像情報処理装置と、該処理装置により処理された画像を表示する表示装置と、該処理装置により処理された画像を印刷する印刷装置とを有することにより解決される。


【手続補正３】
【補正対象書類名】明細書
【補正対象項目名】０００６
【補正方法】変更
【補正の内容】
【０００６】
さらに、本発明は、前記の課題を解決するため、撮影画像情報を編集する映像編集装置を有し、前記各撮影画像情報を編集可能なことを提案する。
さらに、本発明は、前記の課題を解決するため、撮影画像情報を合成する合成装置を有し、前記各撮影画像情報を合成可能なことを提案する。


【手続補正４】
【補正対象書類名】明細書
【補正対象項目名】０００７
【補正方法】変更
【補正の内容】
【０００７】
さらに、本発明は、前記の課題を解決するため、タイトル情報供給装置を有し、前記各撮影画像情報にタイトル情報を合成可能なことを提案する。
さらに、本発明は、前記の課題を解決するため、前記各撮影画像情報に基づく画像を同一の媒体上に印刷することを提案する。


【手続補正５】
【補正対象書類名】明細書
【補正対象項目名】０００８
【補正方法】変更
【補正の内容】
【０００８】
さらに、本発明は、前記の課題を解決するため、前記各撮影画像情報に基づく画像のうち任意の画像を選択して同一の媒体上に印刷可能なことを提案する。
さらに、本発明は、前記の課題を解決するため、前記各画像を複数個印刷可能なことを提案する。


【手続補正６】
【補正対象書類名】明細書
【補正対象項目名】０００９
【補正方法】変更
【補正の内容】
【０００９】
さらに、本発明は、前記の課題を解決するため、前記印刷する画像の個数を選択可能なことを提案する。
さらに、本発明は、前記の課題を解決するため、前記映像情報供給装置、通信装置、映像情報処理装置、表示装置及び印刷装置を１つのユニットとし、１つの筐体内に複数の前記ユニットを備え、各ユニット間で撮影画像情報の通信が可能なことを提案する。


【手続補正７】
【補正対象書類名】明細書
【補正対象項目名】００１０
【補正方法】変更
【補正の内容】
【００１０】
さらに、本発明は、前記の課題を解決するため、前記映像情報供給装置、通信装置、表示装置及び印刷装置を１つのユニットとし、１つの筐体内に複数の前記ユニットを備え、１つの前記映像情報処理装置により各ユニットの撮影画像情報を処理可能なことを提案する。


【手続補正８】
【補正対象書類名】明細書
【補正対象項目名】００１１
【補正方法】変更
【補正の内容】
【００１１】
さらに、本発明は、前記の課題を解決するため、前記映像情報供給装置、通信装置及び表示装置を１つのユニットとし、１つの筐体内に複数の前記ユニットを備え、１つの前記映像情報処理装置により各ユニットの撮影画像情報を処理可能とすると共に、１つの前記印刷装置を各ユニットに共通の印刷装置とすることを提案する。


【手続補正９】
【補正対象書類名】明細書
【補正対象項目名】００１２
【補正方法】変更
【補正の内容】
【００１２】
さらに、本発明は、前記の課題を解決するため、被写体を撮影して映像情報を供給する複数の映像情報供給装置と、該複数の映像情報供給装置から供給された撮影画像情報を処理する映像情報処理装置と、該処理装置により処理された画像を表示する複数の表示装置と、該処理装置により処理された画像を印刷する印刷装置とを有することを提案する。


【手続補正１０】
【補正対象書類名】明細書
【補正対象項目名】００３７
【補正方法】変更
【補正の内容】
【００３７】
【発明の効果】
以上説明したように、請求項１，２の映像プリント供給装置によれば、撮影した画像と通信により送られてきた他機で撮影した画像とをプリントすることができるので、様々な画像をプリントすることが可能となり、遊戯装置に使用した場合など、付加価値を高めることができる。


【手続補正１１】
【補正対象書類名】明細書
【補正対象項目名】００３８
【補正方法】変更
【補正の内容】
【００３８】
請求項３の構成により、画像を編集して必要部分のみを切り抜いたり好みの画像にしたりすることができる。
請求項４の構成により、各画像を合成したものをプリントでき、より多様な画像を提供することができる。


【手続補正１２】
【補正対象書類名】明細書
【補正対象項目名】００３９
【補正方法】変更
【補正の内容】
【００３９】
請求項５の構成により、絵や文字等のタイトル情報を合成できるので、より多様で面白味のある画像をプリントすることができる。
請求項６の構成により、各画像を同一の媒体上に印刷できるので、より多様で面白味のある画像をプリントすることができる。


【手続補正１３】
【補正対象書類名】明細書
【補正対象項目名】００４０
【補正方法】変更
【補正の内容】
【００４０】
請求項７の構成により、任意の画像を選択して同一の媒体上に印刷できるので、ユーザが所望する画像のみを得ることができる。
請求項８の構成により、同じ画像を一度に複数個得ることができる。


【手続補正１４】
【補正対象書類名】明細書
【補正対象項目名】００４１
【補正方法】変更
【補正の内容】
【００４１】
請求項９の構成により、ユーザが所望する個数の画像を得ることができる。
請求項１０の構成により、各ユニットの筐体を共通化して装置コストを抑えることができる。


【手続補正１５】
【補正対象書類名】明細書
【補正対象項目名】００４２
【補正方法】変更
【補正の内容】
【００４２】
請求項１１の構成により、１つの処理装置で各ユニットの映像を処理でき、装置コストを抑えることができる。
請求項１２の構成により、各ユニットの画像を共通の印刷装置で印刷できるので、装置コストを抑えることができる。


【手続補正１６】
【補正対象書類名】明細書
【補正対象項目名】００４３
【補正方法】変更
【補正の内容】
【００４３】
請求項１３の構成により、少ない装置部品点数の安価な装置構成で、様々な画像のプリントを実現することができる。